(57)【要約】      （修正有）【課題】広告表示部のポールを台座部の四角筒部に挿入して脚部を開いて簡単に組立て設置できる組立広告媒体を提供する。【解決手段】広告表示部１と、ポール部２と、四角筒部４を備えた台座部３とからなり、台座部３は、四角筒部４の各側面より外方に延びる４つの脚部５と、四角筒部の４本の折れ曲がり可能部とを備え、対角の２つの前記折れ曲がり可能部が略平坦状となり、他の対角の２つの前記折れ曲がり可能部が折り重なった状態となり、脚部５を変形させることにより、四角筒部が折り畳まれ脚部が重なりあった板状となるものであり、さらに、脚部を離間する方向に変形させることにより、４本の折れ曲がり可能部が屈曲され、四角筒部が広がり４つの脚部５が放射状に広がり、四角筒部内にポール部２を挿入することにより脚部５が放射状に広がり立設される組立広告媒体。【選択図】図１
0003144463.tif 000002
【実用新案登録請求の範囲】
【請求項１】
広告表示部と、該広告表示部を上部に備えるポール部と、該ポール部の下端部が挿脱可能な四角筒部を備え、かつ板状部材により形成された台座部とからなる組立広告媒体であって、
前記台座部は、前記四角筒部の各側面より外方に延びる４つの脚部と、前記四角筒部の側面の４本のコーナ辺を形成する４本の折れ曲がり可能部とを備え、対角に位置する２つの前記折れ曲がり可能部が略平坦状となり、他の対角に位置する２つの前記折れ曲がり可能部が折り重なった状態となるように、前記脚部を変形させることにより、前記四角筒部が実質的に消失し、各２つの前記脚部が重なりあった板状部材の積層物状となるものであり、さらに、前記重なり合った脚部を離間する方向に変形させることにより、前記４本の折れ曲がり可能部が屈曲状態となり、前記四角筒部が発現し、かつ前記４つの脚部が放射状に広がるものであり、そして、発現した前記四角筒部内に前記ポール部の下端部を挿入することにより、前記４つの脚部が放射状に広がった状態を保持し、立設可能形態となることを特徴とする組立広告媒体。
【請求項２】
前記広告表示部は、平板状の広告表示部であり、前記ポール部に対して、装脱可能となっている請求項１に記載の組立広告媒体。
【請求項３】
前記四角筒部は、下部に前記ポール部の下端が当接し、前記ポール部の前記四角筒部の貫通を規制する係止部を備えている請求項１または２に記載の組立広告媒体。
【請求項４】
前記ポール部は、該ポール部の下端より所定長上端側に設けられ、前記四角筒部の上端と当接し、前記ポール部の前記四角筒部の貫通を規制する係止部を備えている請求項１ないし３のいずれかに記載の組立広告媒体。
【請求項５】
前記四角筒部は、実質的に正四角筒部である請求項１ないし４のいずれかに記載の組立広告媒体。
【請求項６】
前記四角筒部は、実質的に正四角筒部であり、正四角系を形成する各辺の長さは、前記ポール部の外径と同じもしくは若干大きいものである請求項１ないし５のいずれかに記載の組立広告媒体。
【請求項７】
前記ポール部は、円筒状、楕円筒状または多角筒状である請求項１ないし６のいずれかに記載の組立広告媒体。
【請求項８】
前記脚部は、前記四角筒部の上部側より下部側に向かって幅が広くなっている請求項１ないし７のいずれかに記載の組立広告媒体。
【請求項９】
前記台座部は、紙製板状部材により形成され、前記ポール部は、紙筒材により形成され、前記広告表示部は、紙製板状部材により形成されている請求項１ないし８のいずれかに記載の組立広告媒体。
【請求項１０】
前記ポール部は、第１ポール部材と、該第１ポール部材の端部に装脱可能な第２ポール部材とからなるものである請求項１ないし９のいずれかに記載の組立広告媒体。
【請求項１１】
前記広告表示部は、側面に一定の間隔をおいて前記ポール部を通す複数の輪状部と、上部に前記ポール部の上端に架ける架設部と、該架設部の下部に前記ポールの内部に挿入可能な垂下片とを備えた請求項１ないし１０のいずれかに記載の組立広告媒体。
【請求項１２】
広告表示部と、該広告表示部を上部に備えるポール部と、該ポール部の下端部が挿脱可能な四角筒部を備え、かつ板状部材により形成された台座部とからなる組立広告媒体であって、
前記台座部は、前記四角筒部の各側面より外方に延びる４つの脚部と、前記四角筒部の側面の４本のコーナ辺を形成する４本の折れ曲がり可能部とを備え、対角に位置する２つの前記折れ曲がり可能部が略平坦状となり、他の対角に位置する２つの前記折れ曲がり可能部が折り重なった状態となるように、前記脚部を変形させることにより、前記四角筒部が実質的に消失し、各２つの前記脚部が重なりあった板状部材の積層物状となるものであり、さらに、前記重なり合った脚部を離間する方向に変形させることにより、前記４本の折れ曲がり可能部が屈曲状態となり、前記四角筒部が発現し、かつ前記４つの脚部が放射状に広がるものであり、そして、発現した前記四角筒部内に前記ポール部の下端部を挿入することにより、前記４つの脚部が放射状に広がった状態を保持し、立設可能形態となるものであり、
さらに、前記四角筒部は、下部に前記ポール部の下端が当接し、前記ポール部の前記四角筒部の貫通を規制する係止部を備え、前記四角筒部は、実質的に正四角筒部であり、正四角系を形成する各辺の長さは、前記ポール部の外径と同じもしくは若干大きいものであることを特徴とする組立広告媒体。
【請求項１３】
広告表示部と、該広告表示部を上部に備えるポール部と、該ポール部の下端部が挿脱可能な四角筒部を備え、かつ板状部材により形成された台座部とからなる組立広告媒体であって、
前記台座部は、前記四角筒部の各側面より外方に延びる４つの脚部と、前記四角筒部の側面の４本のコーナ辺を形成する４本の折れ曲がり可能部とを備え、対角に位置する２つの前記折れ曲がり可能部が略平坦状となり、他の対角に位置する２つの前記折れ曲がり可能部が折り重なった状態となるように、前記脚部を変形させることにより、前記四角筒部が実質的に消失し、各２つの前記脚部が重なりあった板状部材の積層物状となるものであり、さらに、前記重なり合った脚部を離間する方向に変形させることにより、前記４本の折れ曲がり可能部が屈曲状態となり、前記四角筒部が発現し、かつ前記４つの脚部が放射状に広がるものであり、そして、発現した前記四角筒部内に前記ポール部の下端部を挿入することにより、前記４つの脚部が放射状に広がった状態を保持し、立設可能形態となるものであり、
さらに、前記四角筒部は、下部に前記ポール部の下端が当接し、前記ポール部の前記四角筒部の貫通を規制する係止部を備え、前記四角筒部は、実質的に正四角筒部であり、正四角系を形成する各辺の長さは、前記ポール部の外径と同じもしくは若干大きいものであり、前記広告表示部は、平板状の広告表示部であり、前記ポール部に対して、装脱可能となっていることを特徴とする組立広告媒体。
【請求項１４】
広告表示部と、該広告表示部を上部に備えるポール部と、該ポール部の下端部が挿脱可能な四角筒部を備え、かつ板状部材により形成された台座部とからなる組立広告媒体であって、
前記台座部は、前記四角筒部の各側面より外方に延びる４つの脚部と、前記四角筒部の側面の４本のコーナ辺を形成する４本の折れ曲がり可能部とを備え、対角に位置する２つの前記折れ曲がり可能部が略平坦状となり、他の対角に位置する２つの前記折れ曲がり可能部が折り重なった状態となるように、前記脚部を変形させることにより、前記四角筒部が実質的に消失し、各２つの前記脚部が重なりあった板状部材の積層物状となるものであり、さらに、前記重なり合った脚部を離間する方向に変形させることにより、前記４本の折れ曲がり可能部が屈曲状態となり、前記四角筒部が発現し、かつ前記４つの脚部が放射状に広がるものであり、そして、発現した前記四角筒部内に前記ポール部の下端部を挿入することにより、前記４つの脚部が放射状に広がった状態を保持し、立設可能形態となるものであり、
さらに、前記四角筒部は、下部に前記ポール部の下端が当接し、前記ポール部の前記四角筒部の貫通を規制する係止部を備え、前記四角筒部は、実質的に正四角筒部であり、正四角系を形成する各辺の長さは、前記ポール部の外径と同じもしくは若干大きいものであり、前記広告表示部は、前記広告表示部は、側面に一定の間隔をおいて前記ポール部を通す複数の輪状部と、上部に前記ポール部の上端に架ける架設部と、該架設部の下部に前記ポールの内部に挿入可能な垂下片とを備えることを特徴とする組立広告媒体。
【考案の詳細な説明】
【技術分野】
【０００１】
この考案は、旗、のぼり等広告表示部を備えたポール部を台座部に挿入して立設した組立広告媒体に関する。
【背景技術】
【０００２】
従来、この種のポールの支持台として、柔軟なプラスチックを材料としてブロー成形により製造した水タンク式開閉台座で、上方からの圧縮により扁平化することのできる形状とし、複数条のリブを放射方向に形成してその開閉台座を折り畳み可能なものとしたものがある（特許文献１参照）。また、小型のぼり旗として広告媒体に利用するのに好適な両面印刷ＰＯＰ製品、両面印刷物形成用印刷媒体がある（特許文献２参照）。
【０００３】
【特許文献１】特開２００４−２０５７９５
【特許文献２】特開２００７−３９２６
【考案の開示】
【考案が解決しようとする課題】
【０００４】
特許文献１のポール等の支持台は、屋外で使用するものであり、開閉台座が水タンクで重く、水を抜いて扁平化後折り畳むもので、構造が複雑で、店内において広告媒体として使用するには不都合であり、また、特許文献２の両面印刷ＰＯＰ製品では、吸盤開閉台座に旗竿の下端の軸受けを設け、軸受けの内部に球面座を設け、ボールを備え、旗竿を立てているが、この吸盤開閉台座では、折り畳みできず、移送、保管に不便であった。
【０００５】
この考案は、このような問題点を解消するために、旗、のぼり等広告表示部を備えたポール部を台座部の四角筒部に挿入して立設することにより脚部を開いて簡単に組立て、かつ安定して設置でき、また、ポール部を抜いて台座部の四角筒部と脚部を扁平に折り畳み保管、移送に便利とした組立広告媒体を提供することを目的とする。
【課題を解決するための手段】
【０００６】
上記目的を達成するものは、以下のものである。
（１）この考案は、広告表示部と、該広告表示部を上部に備えるポール部と、該ポール部の下端部が挿脱可能な四角筒部を備え、かつ板状部材により形成された台座部とからなる組立広告媒体であって、前記台座部は、前記四角筒部の各側面より外方に延びる４つの脚部と、前記四角筒部の側面の４本のコーナ辺を形成する４本の折れ曲がり可能部とを備え、対角に位置する２つの前記折れ曲がり可能部が略平坦状となり、他の対角に位置する２つの前記折れ曲がり可能部が折り重なった状態となるように、前記脚部を変形させることにより、前記四角筒部が実質的に消失し、各２つの前記脚部が重なりあった板状部材の積層物状となるものであり、さらに、前記重なり合った脚部を離間する方向に変形させることにより、前記４本の折れ曲がり可能部が屈曲状態となり、前記四角筒部が発現し、かつ前記４つの脚部が放射状に広がるものであり、そして、発現した前記四角筒部内に前記ポール部の下端部を挿入することにより、前記４つの脚部が放射状に広がった状態を保持し、立設可能形態となることを特徴とする組立広告媒体。
【０００７】
（２）  前記広告表示部は、平板状の広告表示部であり、前記ポール部に対して、装脱可能となっている
（３）  前記四角筒部は、下部に前記ポール部の下端が当接し、前記ポール部の前記四角筒部の貫通を規制する係止部を備えている前記（１）または前記（２）に記載の組立広告媒体。
（４）  前記ポール部は、該ポール部の下端より所定長上端側に設けられ、前記四角筒部の上端と当接し、前記ポール部の前記四角筒部の貫通を規制する係止部を備えている前記（１）ないし前記（３）のいずれかに記載の組立広告媒体。
（５）  前記四角筒部は、実質的に正四角筒部である前記（１）ないし前記（４）のいずれかに記載の組立広告媒体。
（６）  前記四角筒部は、実質的に正四角筒部であり、正四角系を形成する各辺の長さは、前記ポール部の外径と同じもしくは若干大きいものである前記（１）ないし前記（５）のいずれかに記載の組立広告媒体。
（７）  前記ポール部は、円筒状、楕円筒状または多角筒状である前記（１）ないし前記（６）のいずれかに記載の組立広告媒体。
【０００８】
（８）  前記脚部は、前記四角筒部の上部側より下部側に向かって幅が広くなっている前記（１）ないし前記（７）のいずれかに記載の組立広告媒体。
（９）  前記台座部は、紙製板状部材により形成され、前記ポール部は、紙筒材により形成され、前記広告表示部は、紙製板状部材により形成されている前記（１）ないし前記（８）のいずれかに記載の組立広告媒体。
（１０）  前記ポール部は、第１ポール部材と、該第１ポール部材の端部に装脱可能な第２ポール部材とからなるものである前記（１）ないし前記（９）のいずれかに記載の組立広告媒体。
（１１）  前記広告表示部は、側面に一定の間隔をおいて前記ポール部を通す複数の輪状部と、上部に前記ポール部の上端に架ける架設部と、該架設部の下部に前記ポールの内部に挿入可能な垂下片とを備えた前記（１）ないし前記（１０）のいずれかに記載の組立広告媒体。
【０００９】
また、上記目的を達成するものは、以下のものである。
（１２）広告表示部と、該広告表示部を上部に備えるポール部と、該ポール部の下端部が挿脱可能な四角筒部を備え、かつ板状部材により形成された台座部とからなる組立広告媒体であって、前記台座部は、前記四角筒部の各側面より外方に延びる４つの脚部と、前記四角筒部の側面の４本のコーナ辺を形成する４本の折れ曲がり可能部とを備え、対角に位置する２つの前記折れ曲がり可能部が略平坦状となり、他の対角に位置する２つの前記折れ曲がり可能部が折り重なった状態となるように、前記脚部を変形させることにより、前記四角筒部が実質的に消失し、各２つの前記脚部が重なりあった板状部材の積層物状となるものであり、さらに、前記重なり合った脚部を離間する方向に変形させることにより、前記４本の折れ曲がり可能部が屈曲状態となり、前記四角筒部が発現し、かつ前記４つの脚部が放射状に広がるものであり、そして、発現した前記四角筒部内に前記ポール部の下端部を挿入することにより、前記４つの脚部が放射状に広がった状態を保持し、立設可能形態となるものであり、さらに、前記四角筒部は、下部に前記ポール部の下端が当接し、前記ポール部の前記四角筒部の貫通を規制する係止部を備え、前記四角筒部は、実質的に正四角筒部であり、正四角系を形成する各辺の長さは、前記ポール部の外径と同じもしくは若干大きいものである組立広告媒体。
【００１０】
また、上記目的を達成するものは、以下のものである。
（１３）  広告表示部と、該広告表示部を上部に備えるポール部と、該ポール部の下端部が挿脱可能な四角筒部を備え、かつ板状部材により形成された台座部とからなる組立広告媒体であって、前記台座部は、前記四角筒部の各側面より外方に延びる４つの脚部と、前記四角筒部の側面の４本のコーナ辺を形成する４本の折れ曲がり可能部とを備え、対角に位置する２つの前記折れ曲がり可能部が略平坦状となり、他の対角に位置する２つの前記折れ曲がり可能部が折り重なった状態となるように、前記脚部を変形させることにより、前記四角筒部が実質的に消失し、各２つの前記脚部が重なりあった板状部材の積層物状となるものであり、さらに、前記重なり合った脚部を離間する方向に変形させることにより、前記４本の折れ曲がり可能部が屈曲状態となり、前記四角筒部が発現し、かつ前記４つの脚部が放射状に広がるものであり、そして、発現した前記四角筒部内に前記ポール部の下端部を挿入することにより、前記４つの脚部が放射状に広がった状態を保持し、立設可能形態となるものであり、さらに、前記四角筒部は、下部に前記ポール部の下端が当接し、前記ポール部の前記四角筒部の貫通を規制する係止部を備え、前記四角筒部は、実質的に正四角筒部であり、正四角系を形成する各辺の長さは、前記ポール部の外径と同じもしくは若干大きいものであり、前記広告表示部は、平板状の広告表示部であり、前記ポール部に対して、装脱可能となっている組立広告媒体。
【００１１】
また、上記目的を達成するものは、以下のものである。
（１４）  広告表示部と、該広告表示部を上部に備えるポール部と、該ポール部の下端部が挿脱可能な四角筒部を備え、かつ板状部材により形成された台座部とからなる組立広告媒体であって、前記台座部は、前記四角筒部の各側面より外方に延びる４つの脚部と、前記四角筒部の側面の４本のコーナ辺を形成する４本の折れ曲がり可能部とを備え、対角に位置する２つの前記折れ曲がり可能部が略平坦状となり、他の対角に位置する２つの前記折れ曲がり可能部が折り重なった状態となるように、前記脚部を変形させることにより、前記四角筒部が実質的に消失し、各２つの前記脚部が重なりあった板状部材の積層物状となるものであり、さらに、前記重なり合った脚部を離間する方向に変形させることにより、前記４本の折れ曲がり可能部が屈曲状態となり、前記四角筒部が発現し、かつ前記４つの脚部が放射状に広がるものであり、そして、発現した前記四角筒部内に前記ポール部の下端部を挿入することにより、前記４つの脚部が放射状に広がった状態を保持し、立設可能形態となるものであり、さらに、前記四角筒部は、下部に前記ポール部の下端が当接し、前記ポール部の前記四角筒部の貫通を規制する係止部を備え、前記四角筒部は、実質的に正四角筒部であり、正四角系を形成する各辺の長さは、前記ポール部の外径と同じもしくは若干大きいものであり、前記広告表示部は、前記広告表示部は、側面に一定の間隔をおいて前記ポール部を通す複数の輪状部と、上部に前記ポール部の上端に架ける架設部と、該架設部の下部に前記ポールの内部に挿入可能な垂下片とを備える組立広告媒体。
【考案の効果】
【００１２】
この考案によれば、台座部は、四角筒部と、四角筒部の各側面より外方に延びる４つの脚部と、前記四角筒部の側面の４本のコーナ辺を形成する４本の折れ曲がり可能部とを備え、対角に位置する２つの前記折れ曲がり可能部が略平坦状となり、他の対角に位置する２つの前記折れ曲がり可能部が折り重なった状態となり、前記四角筒部が実質的に消失し、各２つの前記脚部が重なりあった板状部材の積層物状とできるので、ポール部を抜いて台座部の四角筒部と脚部を簡単に扁平に折り畳みでき、移送、保管等に便利である。
また、台座部を開いて広告表示部を上部に備えるポールを立てるときは、前記四角筒部の４本の折れ曲がり可能部が屈曲状態となって前記四角筒部が発現し、かつ前記４つの脚部が放射状に広げられ、前記四角筒部内に広告表示部を上部に備えるポール部の下端部を挿入することにより、前記４つの脚部が放射状に広がった状態を保持して簡単に組み立て立設でき、安定して広告媒体を立てることができ、便利である。
【００１３】
この考案によれば、前記四角筒部は、実質的に正四角筒部であり、各辺の長さは、前記ポール部の外径と同じもしくは若干大きいものであるから、前記四角筒部は前記ポールを挿入することにより正四角形状態となり、前記四角筒部の四方の脚部が放射状に広がった状態となり、簡単に組立て設置できる。
また、前記脚部は、前記四角筒部の上部側より下部側に向かって幅が広くなっているので、安定して設置できる。広告表示部は、ポール部に対して、装脱可能となっているので、簡単に装着できる。
【００１４】
この考案によれば、前記四角筒部は、下部に前記ポール部の下端が当接し、前記ポール部の前記四角筒部の貫通を規制する係止部を備えているので、ポールを該係止部で受け止めて立設できる。或いは、前記ポール部は、該ポール部の下端より所定長上端側に設けられ、前記四角筒部の上端と当接する係止部を備えれば、前記ポール部の係止部が前記四角筒部の上に係止されて立設できる。
また、前記台座部は、紙製板状部材により形成され、前記ポール部は、紙筒材により形成され、前記広告表示部は、紙製板状部材により形成されているので、軽量で、移送、保管に便利であり、安価に提供できる。この考案の組立広告媒体は紙製で、店内、屋内等風雨が当たらない所で使用するに適したものである。
前記ポール部は、第１ポール部材と、該第１ポール部材の端部に装脱可能な第２ポール部材とからなるものとすれば、分割して移送、保管ができるので、便利である。
さらに、前記広告表示部は、側面に前記ポール部を通す複数の輪状部と、上部の架設部の下部に前記ポールの内部に挿入可能な垂下片を備えので、前記ポール部に簡単に装着できる。
【考案を実施するための最良の形態】
【００１５】
この考案の組立広告媒体の実施形態を図面に基づいて説明する。図１は、この考案の組立広告媒体を示す斜視図、図２は、折り畳み状態の台座部を示す正面図、図３は、折り畳み状態の台座部を示す斜視図、図４は、折り畳み状態の台座部を示す平面図、図５は、図４のＡ−Ａ断面図である、図６は、開いた状態の台座部を示す斜視図、図７は、開いた状態の台座部を示す平面図、図８は、開いた状態の台座部を示す拡大平面図、図９は、図８のＢ−Ｂ断面図、図１０は、台座部の第１の台形状板紙を示す背面図と第２の台形状板紙を示す正面図、図１１は、脚部の片側を傾斜面とした板紙を示す正面図、図１２は、ポールの第１ポール部材と第２ポール部材を示す正面図、図１３は、広告表示部（旗）の斜視図、図１４は別の実施形態のポールを示す要部断面図である。
【００１６】
図１において、この考案の組立広告媒体は、広告表示部１を備えるポール部２と、台座部３とにより構成される。広告表示部１、台座部３は板紙、厚紙等板状シート、ポール部２は紙管である。前記台座部３は、紙製板状部材により形成され、前記ポール部２は、紙筒材により形成され、前記広告表示部１は、紙製板状部材により形成されている。広告表示部１、ポール部２、台座部３を紙製としたが、これに限られるものでなく、例えば合成樹脂製とすることもできる。
【００１７】
図１ないし図１３に示すように、この考案の組立広告媒体は、広告表示部１と、該広告表示部１を上部に備えるポール部２と、該ポール部２の下端部が挿脱可能な四角筒部４を備え、かつ板状部材により形成された台座部３とからなる組立広告媒体であって、
前記台座部３は、前記四角筒部４の各側面より外方に延びる４つの脚部５と、前記四角筒部４の側面の４本のコーナ辺を形成する４本の折れ曲がり可能部４ａ、４ｂ、４ｃ、４ｄとを備え、対角に位置する２つの前記折れ曲がり可能部４ａ、４ｃが略平坦状となり、他の対角に位置する２つの前記折れ曲がり可能部４ｂ、４ｄが折り重なった状態となるように、前記脚部５を変形させることにより、前記四角筒部４が実質的に消失し、各２つの前記脚部５が重なりあった板状部材の積層物状となるものであり、さらに、前記重なり合った脚部５を離間する方向に変形させることにより、前記４本の折れ曲がり可能部４ａ、４ｂ、４ｃ、４ｄが屈曲状態となり、前記四角筒部４が発現し、かつ前記４つの脚部５が放射状に広がるものであり、そして、発現した前記四角筒部４内に前記ポール部２の下端部を挿入することにより、前記４つの脚部５が放射状に広がった状態を保持し、立設可能形態となることを特徴とする。
【００１８】
図１および図１３に示すように、前記広告表示部１は、平板状の広告表示部であり、前記ポール部２に対して、装脱可能となっている。
広告表示部１は、板紙、合成樹脂製等の矩形のシートで、その表面、裏面の両方、あるいはいずれかに広告、案内等を表示するものである。この広告表示部１の側面に輪状部を設け、該輪状部を前記ポール部２に装脱可能に備える。ポール部２に広告表示部１を備えて旗を構成する。
前記ポール部２は、棒状体で、ポール部２の下端部が四角筒部４に挿脱可能とする。前記ポール部２は、円筒状、楕円筒状または多角筒状である。
前記ポール部２は、棒状の紙管を用いてあるが、これに限られるものではない。
【００１９】
図３ないし図８において、前記台座部３は、前記ポール部２の下端部が挿脱可能な四角筒部４を備え、かつ板状部材により形成されたものである。
前記台座部３は、四角筒部４と、四角筒部４の各側面より外方に延びる４つの脚部５とにより構成され、前記四角筒部４の側面の４本のコーナ辺を形成する４本の折れ曲がり可能部４ａ、４ｂ、４ｃ、４ｄを備える。
【００２０】
前記台座部３を折り畳むとき、前記四角筒部４は四角筒部４の対角に位置する２つの前記折れ曲がり可能部４ａ、４ｃが略平坦状となり、他の対角に位置する２つの前記折れ曲がり可能部４ｂ、４ｄが折り重なった状態となり、四角筒部４の各側面より外方に延びる脚部も折り畳まれる。
また、前記台座部３を広げるとき、前記四角筒部４は重なり合った脚部５を離間する方向に変形させることにより、前記４本の折れ曲がり可能部４ａ、４ｂ、４ｃ、４ｄが屈曲状態となり、前記四角筒部４が発現し、発現した前記四角筒部４内に前記ポール部２の下端部を挿入することにより、前記４つの脚部５が放射状に広がった状態を保持し、立設可能形態となる。すなわち、四角形に広げられた前記四角筒部４にポール部２が挿入され、前記４つの脚部５が放射状に広げられて床面等に安定して置かれる。
広げたときに発現される前記四角筒部４は、実質的に正四角筒部である。
前記四角筒部４は、実質的に正四角筒部であり、正四角系を形成する各辺の長さは、前記ポール部の外径と同じもしくは若干大きいものである。
前記四角筒部４は正四角筒部であり、前記ポール部２を前記四角筒部４に内接して挿入することにより、四角筒部４を正四角形に広げて保持することができる。
【００２１】
前記脚部５は、前記四角筒部４の各側面より外方に延びるものであり、前記四角筒部４の上部側より下部側に向かって幅が広くなっている。
前記脚部５は、前記四角筒部４と高さが同一であり、外側となる側面が傾斜面とされる。
すなわち、前記四角筒部４の折れ曲がり可能部４ａと４ｃの二辺の延長線上に設けられ、側部までが接着された脚部５と、前記四角筒部４の折れ曲がり可能部４ｂと４ｄの他の二辺の延長線上に設けられ、前記四角筒部４の折れ曲がり可能部４ａと４ｃから延びる脚部５とを備える。
前記四角筒部４と脚部５は一体に設けても、別体として接着材等で結合しても良い。
図７および図８に示す台座部３は、四角筒部４の可能部４ａと４ｃの二辺の延長線の脚部５は四角筒部４と一体に設けられ、前記四角筒部４の折れ曲がり可能部４ｂと４ｄは四角筒部４と別体であり、四角筒部４の折れ曲がり可能部４ｂと４ｄの他の二辺の延長線上に接着されている。
前記台座部３は、底面の中央が凹状とされ、脚部５の両側の所定幅部分が接地面とされ、台座部を安定して設置できる。
前記台座部３は、紙製板状部材により形成され、前記ポール部２は、紙筒材により形成され、前記広告表示部１は、紙製板状部材により形成されているので、軽量で、移送、保管に便利であり、安価に提供できる。この考案の組立広告媒体は紙製で、店内、屋内等風雨が当たらない所で使用するに適している。
【００２２】
前記台座部３を折り畳む場合と、開く場合を説明する。
前記台座部３を折り畳む場合、前記四角筒部４は対角に位置する２つの前記折れ曲がり可能部４ａ、４ｃが略平坦状となり、他の対角に位置する２つの前記折れ曲がり可能部４ｂ、４ｄが折り重なった状態となるとき、折れ曲がり可能部４ａと、４ｂから延びる脚部５が折り重なり、また、折れ曲がり可能部４ｃと、４ｄから延びる脚部５が折り重なって折り畳まれる。台座部３は、ほぼ扁平な板状となり、移送、保管等に便利である。
前記台座部３を開く場合、前記四角筒部４の前記重なり合った脚部５を離間する方向に変形させることにより、前記４本の折れ曲がり可能部４ａ、４ｂ、４ｃ、４ｄが屈曲状態となり、前記四角筒部４が発現し、かつ前記４つの脚部５が放射状に広がる。台座部３は安定して床面等に置くことができる。
そして、発現した前記四角筒部４内に前記ポール部２の下端部を挿入することにより、前記４つの脚部５が放射状に広がった状態を保持して立設される。
【００２３】
図１２において、ポール部２は紙管であり、広告表示部１を備えて耐えられるものであり、前記台座部３の四角筒部に立設して倒れないものである。
実施形態の前記ポール部は、第１ポール部材２Ａと、該第１ポール部材の端部に装脱可能な第２ポール部材２Ｂとからなるものである。
すなわち、ポール部２を略中間で２分割し、第１ポール部材２Ａには一端に径を細くした軸部２ａが設けられ、第２ポール部材２Ｂには一端に前記軸２ａを挿入可能な挿入孔２ｂが設けられ、第１ポール部材２Ａの軸２ａが第２ポール部材２Ｂの挿入孔２ｂに挿入結合して立てるようにしてある。ポール部２は搬送、保管時には外してスペースを小さくできるようにしてある。実施形態ではポール部を分割したがこれに限るものではなく、ポール部は一本としても良い。
【００２４】
前記四角筒部４は、下部に前記ポール部２の下端が当接し、前記ポール部の前記四角筒部の貫通を規制する係止部６を備えている。
前記台座部３は、前記四角筒部４の下部にポールを載せる係止部６が設けられたものである。
前記台座部の前記係止部６は、前記四角筒部の下部の前面と側面に交叉方向に切り込み７を入れて所定の長さの受け止め片８を設け、該受け止め片８を四角筒部４の内面に接着して設けられている。
ポール部２が四角筒部４の下部に突出すると台座部が不安定となるので、四角筒部４の下部に前記係止部６を設けて、ポール部２の下端を受け止めて、ポール部２が台座部３の下方に突出しないようにする。ポール部２を台座部３に挿入するだけで、係止部６で受け止められて立設されるので、ポール部を安定して設置できる。
ポール部２を台座部に受け止める構造は、前記のものに限るものではなく、例えば、ポール部側に係止部を設けて受け止めるようにすることもできる。
図１３に示す実施形態では、前記ポール部２は、該ポール部２の下端より所定長上端側に設けられ、前記四角筒部の上端と当接し、前記ポール部の前記四角筒部の貫通を規制する係止部９を備えている。該ポール２は台座部３の四角筒部４に挿入し、係止部９が四角筒部の上端と当接して立設される。
【００２５】
前記広告表示部１は、側面に一定の間隔をおいて前記ポール部２を通す複数の輪状部１０と、上部に前記ポール部２の上端に架ける架設部１１と、該架設部１１の下部に前記ポールの内部に挿入可能な垂下片１２とを備えたものである。前記垂下片１２は前記ポール部２の内径よりも狭いものとする。広告表示部１の輪状部１０と、架設部１１と、垂下片１２も紙製としてある。
前記広告表示部１をポール部２に取り付けるとき、広告表示部１の複数の輪状部１０をポール部２に通し、かつ上端の架設部１１の垂下片１２をポール部２の上部に差し込むだけで簡単に取り付けでき、この広告表示部１を備えたポール部２を前記台座部３の四角筒部４の空間部に挿入し前記台座部３が放射状に広げられる。前記台座部３の脚部５は、平面から見てほぼ十字形に広げられる。台座部３が放射状に広げられるので、広告表示部１を備えたポール部２を立てて置いたとき、倒れることがなく、安定して設置できるので便利である。
【００２６】
前記台座部３は、２枚の台形状板紙２０と、２枚の台形状板紙３０とにより構成されている。
図１０において、２枚の台形状板紙２０は、上下面を平行とし、両側を傾斜面とした板紙であり、同じ大きさの第１台形状板紙２０Ａと第２台形状板紙２０Ｂとする。
第１台形状板紙２０Ａは、ほぼ中央の縦折り目２１と、該縦折り目２１の一側に前記ポールの幅に相当する長さＬを存して設けた縦折り目２２を設け、第２台形状板紙２０Ｂは縦折り目２１と、縦折り目２１の他側に前記ポールの径に相当する長さＬを存して設けた縦折り目２３を設けてある。
第１台形状板紙２０Ａは第２台形状板紙２０Ｂの縦折り目２３（想像線）と実線の縦折り目２２の外側が脚部５となり、第２台形状板紙２０Ｂは実線の縦折り目２３と第１台形状板紙２０Ａ縦折り目２２（想像線）の外側が脚部５となり、その脚部部分が接着材で接着されて、中央部に四角筒部４を形成するとともに両側に脚部５（５Ａと５Ｃ）が形成される。中央部の四角筒部４である縦折り目２３と縦折り目２２間は接着されないで、ポール部２を挿入する空間部を構成可能とされている。図１０に示す状態で第１台形状板紙２０Ａは第２台形状板紙２０Ｂの脚部部分を貼り合わせる。第２台形状板紙２０Ｂには、四角筒部４を形成する縦折り目２３と縦折り目２２との間で下面より上方に交叉方向に切り込み７を入れ、任意の幅の係止部８が形成されている。
前記脚部５Ａ、５Ｃは四角筒部４を構成する２枚の台形状板紙２０Ａ、２０Ｂに一体的に形成されている。
２枚の台形状板紙２０は一方の台形状板紙の側端を延長し、その延長部の幅だけ他方の台形状板紙の側端を短くし、一方の台形状板紙の延長部を側端の傾斜状の折り目で折り返して他方の台形状板紙の短くした端面に突き合わせ貼り付けるようにすることもできる。
図１１において、２枚の台形状板紙３０は、上下面を平行とし、一側を傾斜面とし、他側は垂直とした板紙であり、脚部５Ｂ、５Ｄとする。
図７、図８に示すように、該脚部５Ｂ、５Ｄは、垂直側の所定幅が前記四角筒部４の前記折れ曲がり可能部４ｂ、４ｄの外側に接着して設けられている。また、前記脚部５は、板紙の側端部を折り返して形成するのが好ましい。
【００２７】
図１０に示すように、第１と第２の台形状板紙２０Ａ、２０Ｂを中央の縦折り目２１を合わせ、前記縦折り目２２と縦折り目２３を対称位置として合わせ、中央部に前記四角筒部４を構成し、前記四角筒部４の側面の４本のコーナ辺を形成する４本の折れ曲がり可能部４ａ、４ｂ、４ｃ、４ｄを備える。そして、前記四角筒部４の折れ曲がり可能部４ａ、４ｃの延長線上に脚部５Ａ、５Ｃが形成されている。また、折れ曲がり可能部４ｂ、４ｄには脚部５Ｂ、５Ｄが設けられている。脚部５Ｂ、５Ｄは垂直面側が折れ曲がり可能部４ｂ、４ｄ側として接着される。
この脚部５Ａ、５Ｃと脚部５Ｂ、５Ｄは、四角筒部４の折り畳み時、脚部５Ａと５Ｂ、脚部５Ｃと５Ｄが重ねられ、四角筒部４を広げるとき、脚部５Ａ、５Ｃは脚部５Ｂ、５Ｄと交叉状に開かれる。
実施形態では、台座部を２枚の台形状板紙と、２枚の脚部により構成した場合をしましたが、これに限られるものではない。
【００２８】
以上の実施形態を示したが、この考案はこの形態に限定されるものではなく、この考案の要旨を逸脱しない範囲で、種々の形態を実施しうるものである。
【図面の簡単な説明】
【００２９】
【図１】図１は、この考案の組立広告媒体を示す斜視図である。
【図２】図２は、折り畳み状態の台座部を示す正面図である。
【図３】図３は、折り畳み状態の台座部を示す斜視図である。
【図４】図４は、折り畳み状態の台座部を示す平面図である。
【図５】図５は、図４のＡ−Ａ断面図である。
【図６】図６は、開いた状態の台座部を示す斜視図である。
【図７】図７は、開いた状態の台座部を示す平面図である。
【図８】図８は、開いた状態の台座部を示す要部拡大平面図である。
【図９】図９は、図８のＢ−Ｂ断面図である。
【図１０】図１０は、台座部の第１の台形状板紙を示す背面図と第２の台形状板紙を示す正面図である。
【図１１】図１１は、脚部の台形状板紙を示す正面図である。
【図１２】図１２は、ポールの第１ポール部材と第２ポール部材を示す正面図である。
【図１３】図１３は、広告表示部の斜視図である。
【図１４】図１４は別の実施形態のポールを示す要部断面図である。
【符号の説明】
【００３０】
１  広告表示部
２  ポール
３  台座部
４  四角筒部
５  脚部
６  係止部
８  受け止め片
９  係止部
１０  輪状部
１１  架設部
１２  垂下片
【図１】
0003144463.tif 000003
【図２】
0003144463.tif 000004
【図３】
0003144463.tif 000005
【図４】
0003144463.tif 000006
【図５】
0003144463.tif 000007
【図６】
0003144463.tif 000008
【図７】
0003144463.tif 000009
【図８】
0003144463.tif 000010
【図９】
0003144463.tif 000011
【図１０】
0003144463.tif 000012
【図１１】
0003144463.tif 000013
【図１２】
0003144463.tif 000014
【図１３】
0003144463.tif 000015
【図１４】
0003144463.tif 000016